(57)【要約】【課題】容易に組み立てが可能であると共に、優れたシール性能を発揮することのできる防水コネクタを提供する。【解決手段】コネクタハウジング１０の後部に、外周を筒状壁１９によって囲まれた電線引出室１４を設ける。筒状壁１９の内周に、シール押付壁１５と平滑内周面１６と雌ねじ部１８とを設ける。電線引出室１４にコネクタハウジング１０と電線３の間を止水する弾性材料製のシール部材２０を挿入し、シール部材２０の外周のシールリップ２３を筒所壁１９の平滑内周面１６に密着させる。そのあとから、外周に雄ねじ部３２を形成した押付リング３０を筒状壁１９の内周にねじ込み、押付リング３０によりシール部材２０を圧縮させることで、シール部材２０を径方向外方に変形させ、それによりリップ２３を平滑内周面１６に強く密着させる。【選択図】図１１
2011146338.tif 000002
【特許請求の範囲】
【請求項１】
電線の先端に取り付けられた端子を収容可能な端子収容室を前部に有すると共に、該端子収容室の後方に、外周を筒状壁によって囲まれた電線引出室が設けられており、前記端子収容室内に収容された前記端子から延びる電線を、前記電線引出室を通して外部後方へ引き出すコネクタハウジングと、
前記筒状壁の内周に後方に略垂直に向くように設けられたシール押付壁と、
該シール押付壁よりも後側の前記筒状壁の内周に設けられたシールリップ密着用の平滑内周面と、
該平滑内周面よりも後側の前記筒状壁の内周に設けられた雌ねじ部と、
前記電線引出室内に収容されることで前記コネクタハウジングと前記電線の間を止水するシール部材であって、前記筒状壁の平滑内周面に嵌まる外径を有した厚肉板状のシール本体を備え、該シール本体に、前記電線引出室を通過する電線が挿通し且つ挿通した電線の外周に孔周壁が密着する貫通孔が形成されると共に、前記シール本体の外周に、前記筒状壁の平滑内周面に密着するシールリップが形成された弾性材料製のシール部材と、
外周に雄ねじ部が形成されており、前記電線引出室の内部に前記シール部材を収容した後から前記電線引出室の内部に挿入され、その挿入の際の前記筒状壁の内周の雌ねじ部に対する前記雄ねじ部の螺合による前進作用により、前記シール部材を前記シール押付壁との間に圧縮し、その圧縮による径方向の変形により、前記シールリップの前記平滑内周面に対する密着度を強める押付リングと、
を具備することを特徴とする防水コネクタ。
【請求項２】
前記雄ねじ部にシール性を高めるためのシールテープを巻き付けたことを特徴とする請求項１に記載の防水コネクタ。
【請求項３】
前記押付リングの後端に、該押付リングをねじ込む際に手や工具を引っ掛けるために使用し且つ使用後に切除される取っ手が設けられていることを特徴とする請求項１または２に記載の防水コネクタ。
【請求項４】
前記電線引出室内に収容された前記シール部材と前記端子収容室との間の空間に樹脂が注入され、固化されていることを特徴とする請求項１〜３のいずれか１項に記載の防水コネクタ。
【発明の詳細な説明】
【技術分野】
【０００１】
本発明は、コネクタハウジングの後部に、電線とコネクタハウジングとの間を止水するシール部材（防水栓ともいう）を内装した防水コネクタに関するものである。
【背景技術】
【０００２】
従来の防水コネクタとして、図１２に示すように、インナー部材１０１で保持した状態の複数の端子１０２をコネクタハウジング１１０の前部の端子収容室に１１２収容し、コネクタハウジング１１０の後部内周に、端子１０２から延びる電線１０３をそれぞれ貫通孔１２２に通した状態で、ゴム製のシール部材１２０を嵌め込み、更にシール部材１２０と端子１０２の後部との間の空間に樹脂１５０を注入し固化させて、同空間を封止したものが知られている（例えば、特許文献１参照）。
【先行技術文献】
【特許文献】
【０００３】
【特許文献１】特開２０００−２６０５１７号公報（図４）
【発明の概要】
【発明が解決しようとする課題】
【０００４】
しかし、上述のようにシール部材１２０をコネクタハウジング１１０の後部内周に単純に嵌め込むだけでは、シール部材１２０とコネクタハウジング１１０の密着度を十分に高くできないことが多く、高いシール性能を発揮できないという問題がある。また、シール性を高めるために後から樹脂１５０を注入し固化させているものの、シール部材１２０によるシール性能の確保が十分でないと、樹脂による封止性能も十分に果たせない可能性がある。また、シール部材１２０の外径をコネクタハウジング１１０の後部の内径に対し大きく設定して、シール部材１２０がコネクタハウジング１１０の後部内周にきつく嵌まるようにし、シール部材１２０とコネクタハウジング１１０の密着度を増すことも考えられるが、そうすると、シール部材１２０をコネクタハウジング１１０に嵌め込むのに手間がかかるという問題が出てくる。
【０００５】
本発明は、上述した事情に鑑みてなされたものであり、その目的は、容易に組み立てが可能であると共に、優れたシール性能を発揮することのできる防水コネクタを提供することにある。
【課題を解決するための手段】
【０００６】
前述した目的を達成するために、本発明に係る防水コネクタは、下記（１）〜（４）を特徴としている。
（１）  電線の先端に取り付けられた端子を収容可能な端子収容室を前部に有すると共に、該端子収容室の後方に、外周を筒状壁によって囲まれた電線引出室が設けられており、前記端子収容室内に収容された前記端子から延びる電線を、前記電線引出室を通して外部後方へ引き出すコネクタハウジングと、
前記筒状壁の内周に後方に略垂直に向くように設けられたシール押付壁と、
該シール押付壁よりも後側の前記筒状壁の内周に設けられたシールリップ密着用の平滑内周面と、
該平滑内周面よりも後側の前記筒状壁の内周に設けられた雌ねじ部と、
前記電線引出室内に収容されることで前記コネクタハウジングと前記電線の間を止水するシール部材であって、前記筒状壁の平滑内周面に嵌まる外径を有した厚肉板状のシール本体を備え、該シール本体に、前記電線引出室を通過する電線が挿通し且つ挿通した電線の外周に孔周壁が密着する貫通孔が形成されると共に、前記シール本体の外周に、前記筒状壁の平滑内周面に密着するシールリップが形成された弾性材料製のシール部材と、
外周に雄ねじ部が形成されており、前記電線引出室の内部に前記シール部材を収容した後から前記電線引出室の内部に挿入され、その挿入の際の前記筒状壁の内周の雌ねじ部に対する前記雄ねじ部の螺合による前進作用により、前記シール部材を前記シール押付壁との間に圧縮し、その圧縮による径方向の変形により、前記シールリップの前記平滑内周面に対する密着度を強める押付リングと、
を具備すること。
（２）  上記（１）の構成の防水コネクタにおいて、
前記雄ねじ部にシール性を高めるためのシールテープを巻き付けたこと。
（３）  上記（１）または（２）の構成の防水コネクタにおいて、
前記押付リングの後端に、該押付リングをねじ込む際に手や工具を引っ掛けるために使用し且つ使用後に切除される取っ手が設けられていること。
（４）  上記（１）〜（３）のいずれかの構成の防水コネクタにおいて、
前記電線引出室内に収容された前記シール部材と前記端子収容室との間の空間に樹脂が注入され、固化されていること。
【０００７】
上記（１）の構成の防水コネクタによれば、コネクタハウジングに対する押圧リングのねじ込みによって、先に挿入してある弾性材料製のシール部材を圧縮させ、その圧縮によるシール部材の径方向の変形によって、シール部材の外周のシールリップをコネクタハウジングの筒状壁の平滑内周面に強く密着させるようにしているので、シール性能を高めることができる。また、押付リングのねじ込みによってシール部材を圧縮させるので、シール部材の圧縮の程度を加減することができるし、操作が簡単で確実にシール性を高めることができる。また、シール部材を挿入してからの押付リングのねじ込みにより、シール部材の脱落や位置ずれ等を確実に防止することができる。また、シール部材を挿入した後から装着する押付リングによってシール部材に圧縮力を加えるので、シール部材の挿入時には、あまり強く圧縮しながらシール部材をコネクタハウジングに挿入しなくてよく、シール部材の組み付けの容易化を図ることができる。
上記（２）の構成の防水コネクタによれば、雄ねじ部と雌ねじ部の微小な隙間をシールテープにより確実にシールすることができるので、シール性能を一層高めることができる。
上記（３）の構成の防水コネクタによれば、押付リングの後端に後から切除できる取っ手を設けているので、手や工具をその取っ手に引っ掛けて押付リングを回すことにより、容易に押付リングをコネクタハウジングに装着することができる。また使用後に不要になった取っ手を切り離すことにより、押付リングをコネクタハウジングの筒状壁の内側に隠すことができ、邪魔にならないにすることができる。
上記（４）の構成の防水コネクタによれば、電線引出室の内部に収容したシール部材と端子収容室との間の空間に樹脂を注入して固化させているので、より確実で高いシール性能を発揮することができる。
【発明の効果】
【０００８】
本発明によれば、コネクタハウジングの後部に対する押付リングのねじ込みによってシール部材に圧縮力を作用させるようにしているので、シール部材のシール性能を容易に高めることができると共に、シール部材の抜けや位置ずれを確実に防止することができる。
【０００９】
以上、本発明について簡潔に説明した。更に、以下に説明される発明を実施するための形態を添付の図面を参照して通読することにより、本発明の詳細は更に明確化されるであろう。
【図面の簡単な説明】
【００１０】
【図１】本発明の実施形態の防水コネクタの組立工程のうちの第１工程の説明用の斜視図である。
【図２】同第１工程終了後の状態を示す斜視図である。
【図３】同第１工程で組み立てた端子とインナー部材のセットを、コネクタハウジングに組み付ける第２工程の説明用の斜視図である。
【図４】同第２工程終了後の状態を示す斜視図である。
【図５】同第２工程で組み立てたコネクタハウジングの後部にシール部材を組み付ける第３工程の説明用の斜視図である。
【図６】同第３工程終了後の状態を示す断面図である。
【図７】同第３工程で組み立てたコネクタハウジングの後部に、更に押付リングを組み付ける第４工程の説明用の斜視図である。
【図８】同第４工程後の状態を示す断面図である。
【図９】同第４工程後の組立品の後部に押付リングの取っ手が飛び出している状態を示す斜視図である。
【図１０】図７の取っ手を切除して完成させた防水コネクタの斜視図である。
【図１１】同完成した防水コネクタの断面図である。
【図１２】従来の防水コネクタの一例を示す断面図である。
【発明を実施するための形態】
【００１１】
以下、本発明の実施形態を図面を参照して説明する。
図１〜図１１は、本発明の実施形態の防水コネクタの組立工程を順に示す図で、図１は第１工程の説明用の斜視図、図２は第１工程終了後の状態を示す斜視図、図３は第１工程で組み立てた端子とインナー部材のセットをコネクタハウジングに組み付ける第２工程の説明用の斜視図、図４は第２工程終了後の状態を示す斜視図、図５は第２工程で組み立てたコネクタハウジングの後部にシール部材を組み付ける第３工程の説明用の斜視図、図６は第３工程終了後の状態を示す断面図、図７は第３工程で組み立てたコネクタハウジングの後部に、更に押付リングを組み付ける第４工程の説明用の斜視図、図８は第４工程後の状態を示す断面図、図９は第４工程後の組立品の後部に押付リングの取っ手が飛び出している状態を示す斜視図、図１０は図７の取っ手を切除して完成させた防水コネクタの斜視図、図１１は完成した防水コネクタの断面図である。
【００１２】
この防水コネクタは、図１１に組立完成状態を示すように、硬質樹脂製のインナー部材１と、電線３の先端に取り付けられた金属製の端子２と、硬質樹脂製のコネクタハウジング１０と、弾性材料製（例えば、ゴム製あるいは軟質樹脂製）のシール部材（防水栓）２０と、硬質樹脂製（あるいは金属製でも可）の押付リング３０とから構成されている。
【００１３】
コネクタハウジング１０の前部には、インナー部材１に取り付けられた端子２を、インナー部材１と共に収容可能な端子収容室１１が設けられており、その端子収容室１１の後方に、外周を筒状壁１９によって囲まれた電線引出室１４が設けられている。そして、端子収容室１１内に収容された端子２から延びる電線３は、電線引出室１４を通して外部後方へ引き出されるようになっている。
【００１４】
筒状壁１９の内周の軸線方向の途中には段部が設けられており、その段部に、後方に略垂直に向いたシール押付壁１５が設けられている。また、このシール押付壁１５よりも後側の筒状壁１９の内周には、シールリップ密着用の平滑内周面１６が設けられ、その平滑内周面１６よりも後側の筒状壁１９の内周には、雌ねじ部１８が設けられている。
【００１５】
弾性材料製のシール部材２０は、電線引出室１４内に収容されることで、コネクタハウジング１０と電線３の間を止水するものであって、筒状壁１９の平滑内周面１６に嵌まる外径を有した厚肉円板状のシール本体２１を備えている。図５に示すように、このシール本体２１の外周部に近い位置には、電線引出室１４を通過する電線３がそれぞれ挿通する複数の貫通孔２２が、シール本体２１の厚さ方向に貫通して設けられている。これら貫通孔２２は、挿通した各電線３の外周に孔周壁２２ａが密着することで、貫通孔２２と電線３の間の隙間を止水するようになっており、孔周壁２２ａには断面山形の環状のシールリップが設けられている。また、シール本体２１の外周には、筒状壁１９の平滑内周面１６に密着する環状のシールリップ２３が形成されている。
【００１６】
押付リング３０は、図７に示すように、円筒体３１の外周面に雄ねじ部３２を形成すると共に、円筒体３１の後端に、手や工具を引っ掛けるための取っ手３３を突設したものであり、電線引出室１４の内部にシール部材２０を収容した後から、電線引出室１４の内部に挿入される。そして、押付リング３０は、その挿入の際の、筒状壁１９の内周の雌ねじ部１８に対する雄ねじ部３２の螺合による前進作用により、シール部材２０の、特に外周部分をシール押付壁１５との間に圧縮し、その圧縮による径方向の変形により、シールリップ２３の平滑内周面１６に対する密着度を強める働きをする。また、このとき貫通孔２２も縮径方向に力を受けるので、電線３との密着度も増す。
【００１７】
次に、実施形態の防水コネクタの組立手順について述べる。
まず、図１及び図２に示すように、各電線３の先端に取り付けてある端子２を、インナー部材１に組み付ける。次に、図３及び図４に示すように、それら端子２をインナー部材１と共にコネクタハウジング１０の端子収容室１１内に前側から挿入する。この際、予めコネクタハウジング１０の内部に電線３を通してある。また、インナー部材１を端子収容室１１に挿入すると、図６に示すように、内部のストッパ１２や保持壁１３により、インナー部材１が位置決め固定される。
【００１８】
次に、図５及び図６に示すように、コネクタハウジング１０の後部の筒状壁１９の内周部にシール部材２０を挿入し、シール部材２０の外周のシールリップ２３を筒状壁１９の内周の平滑内周面１６に密着させる。なお、各電線３は、予めシール部材２０の貫通孔２２にそれぞれ通してある。
【００１９】
次に、図７及び図８に示すように、シール部材２０の後から、押付リング３０をコネクタハウジング１０の筒状壁１９の内部に挿入する。この際、予めシールテープ４０を押付リング３０の雄ねじ部３２に巻き付けた上で、押付リング３０の雄ねじ部３２を筒状壁１９の入口側の雌ねじ部１８にねじ込むことで、押付リング３０を電線引出室１４の奥部に進入させていく。押付リング３０の前端がシール部材２０に当たった段階から更にねじ込みを続けると、シール部材２０は、シール押付壁１５と押付リング３０とで挟まれることにより軸線方向に圧縮されていき、その圧縮に伴い、外周部が径方向外方に膨張変形し、これによりシールリップ２３が平滑内周面１６に強く密着することになる。この場合の押付リング３０のねじ込みは、後端に突設した取っ手３３に手や工具を引っ掛けることで容易に行うことができる。
【００２０】
ねじ込みが終わったら、図９に示すように取っ手３３が出っ張っていると邪魔になるので、図１０に示すように、取っ手３３を切除する。また、図１１に示すように、コネクタハウジング１０の前方や図示しない注入孔から、シール部材２０と端子収容室１１との間の空間に接着剤などの樹脂５０を注入して固化させ、同空間を封止する。これにより、防水コネクタを完成させることができる。
【００２１】
このように構成した防水コネクタによれば、コネクタハウジング１０に対する押圧リング３０のねじ込みによって、予め先に挿入してある弾性材料製のシール部材２０を圧縮させ、その圧縮によるシール部材２０の径方向の変形によって、シール部材２０の外周のシールリップ２３をコネクタハウジング１０の筒状壁１９の平滑内周面１６に強く密着させるようにしているので（つまり、シールリップ２３の潰し量を増大させるようにしているので）、シール性能を高めることができる。
【００２２】
また、押付リング３０のねじ込みによってシール部材２０を圧縮させるので、シール部材２０の圧縮の程度を加減することが容易にできるし、操作が簡単で確実にシール性を高めることができる。また、シール部材２０を挿入してからの押付リング３０のねじ込みにより、シール部材２０の脱落や位置ずれ等を確実に防止することができる。
【００２３】
また、シール部材２０を挿入した後から装着する押付リング３０によってシール部材２０に圧縮力を加えるので、シール部材２０の挿入時には、強く圧縮しながらシール部材２０をコネクタハウジング１０に挿入しなくてよく、シール部材２０の組み付けの容易化を図ることができる。
【００２４】
また、上記のように雄ねじ部３２に予めシールテープ４０を巻き付けた上で押付リング３０をコネクタハウジング１０にねじ込むことにより、雄ねじ部３２と雌ねじ部１８との間の微小な隙間をシールテープに４０より確実にシールすることができるので、シール性能を一層高めることができる。
【００２５】
また、上記のように押付リング３０の後端に後から切除できる取っ手３３を設けているので、手や工具をその取っ手３３に引っ掛けて押付リング３０を回すことができ、容易に押付リング３０をコネクタハウジング１０に装着することができる。また使用後に不要になった取っ手３３を切り離すことにより、押付リング３０をコネクタハウジング１０の筒状壁１９の内側に隠すことができるので、押付リング３０が邪魔になるようなこともない。
【００２６】
また、上記のように電線引出室１４の内部に収容したシール部材２０と端子収容室１１との間の空間に樹脂５０を注入して固化させているので、より確実で高いシール性能を発揮することができる。
【００２７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２８】
２  端子
３  電線
１０  コネクタハウジング
１１  端子収容室
１４  電線引出室
１５  シール押付壁
１６  平滑内周面
１８  雌ねじ部
１９  筒状壁
２０  シール部材
２１  シール本体
２２  貫通孔
２３  シールリップ
３０  押付リング
３２  雄ねじ部
３３  取っ手
４０  シールテープ
５０  樹脂
【図１】
2011146338.tif 000003
【図２】
2011146338.tif 000004
【図３】
2011146338.tif 000005
【図４】
2011146338.tif 000006
【図５】
2011146338.tif 000007
【図６】
2011146338.tif 000008
【図７】
2011146338.tif 000009
【図８】
2011146338.tif 000010
【図９】
2011146338.tif 000011
【図１０】
2011146338.tif 000012
【図１１】
2011146338.tif 000013
【図１２】
2011146338.tif 000014